(57)【要約】  本発明は移動通信端末の使用者の日程管理のための技術に関するものである。日程管理システムは日程管理サーバー１００と移動通信端末２００とを含む。日程管理サーバーは日程管理データを格納する日程管理データベース１２０と、入力される日程管理データを前記日程管理データベースに格納処理し、日程管理データを当該移動通信端末に伝送処理する日程管理処理部１３０を含む。移動通信端末は日程管理データを格納するメモリ２５０と、日程管理データをメモリに格納処理し、日程時刻を参照してアラームを設定する日程アラーム設定部２６１と、アラームを設定した日程時刻またはアラームを設定した日程時刻の所定時間前に当該日程内容をアラームする日程アラーム部２６３を含む。
2008506164.tif 000002
【特許請求の範囲】
【請求項１】
日程管理システムにおいて、
日程管理データを格納する日程管理データベース、
ログイン接続後、入力する日程管理データを前記日程管理データベースに格納処理し、日程管理データを当該移動通信端末に伝送処理する日程管理処理部、及び
医療専門医に提供する会員のバイオデータを格納するバイオデータベースを含む日程管理サーバーと;
日程管理データを格納するメモリ、
前記日程管理処理部から伝送処理された日程管理データを前記メモリに格納処理し、日程管理データに含まれた日程時刻を参照してアラームを設定する日程アラーム設定部、及び
前記日程アラーム設定部によりアラームを設定した日程時刻またはアラームを設定した日程時刻の所定時間前に、前記メモリに格納された日程管理データに含まれた当該日程内容をアラームする日程アラーム部を含む移動通信端末と;を含み、
前記日程管理サーバーにログイン接続して入力する日程管理データは第三者または専門家会員により入力され、医療専門医により入力される日程管理データは前記バイオデータベースを参照して反映したことを特徴とする日程管理システム。
【請求項２】
前記バイオデータは、血糖データであることを特徴とする請求項１に記載の日程管理システム。
【請求項３】
前記血糖データは、前記移動通信端末から受信したものであり、
前記移動通信端末は、
着脱自在に結合し、血糖値を測定するための血糖測定パックと、
前記血糖測定パックで測定した血糖値を計測し、計測した血糖データを前記日程管理サーバーに伝送する血糖データ計測部をさらに含み、
前記日程管理サーバーは、
前記移動通信端末の血糖データ計測部から伝送された血糖データを前記バイオデータベースに格納処理する血糖管理処理部をさらに含むことを特徴とする請求項２に記載の日程管理システム。
【請求項４】
前記血糖データは、前記移動通信端末から受信したものであり、
前記移動通信端末は、
血糖値を測定するための血糖測定部と、
前記血糖測定部で測定した血糖値を計測し、計測した血糖データを前記日程管理サーバーに伝送する血糖データ計測部とをさらに含み、
前記日程管理サーバーは、
前記移動通信端末の血糖データ計測部から伝送された血糖データを前記バイオデータベースに格納処理する血糖管理処理部をさらに含むことを特徴とする請求項２に記載の日程管理システム。
【請求項５】
前記日程管理サーバーは、
血糖別食餌療法及び運動療法データを格納する血糖管理療法データベースをさらに含むことを特徴とする請求項３または４に記載の日程管理システム。
【請求項６】
前記血糖管理処理部は、
前記移動通信端末の血糖データ計測部から伝送された血糖データに基づいて前記血糖管理療法データベースを参照して該当する食餌療法及び運動療法データを回信することを特徴とする請求項５に記載の日程管理システム。
【請求項７】
日程管理装置において、
日程管理データを格納する日程管理データベースと;
医療専門医に提供される会員のバイオデータを格納するバイオデータベースと;
医療専門医がログイン接続後、前記バイオデータベースの参照後入力される日程管理データを前記日程管理データベースに格納処理し、日程管理データを当該移動通信端末に伝送する日程管理処理部と;を含み、
前記バイオデータは血糖データであることを特徴とするコンピュータで実行する日程管理装置。
【請求項８】
前記血糖データは、移動通信端末から受信したものであり、
前記日程管理装置は、
前記移動通信端末の血糖データ計測部から伝送された血糖データを前記バイオデータベースに格納処理する血糖管理処理部をさらに含むことを特徴とする請求項７に記載のコンピュータで実行する日程管理装置。
【請求項９】
前記日程管理装置は、
血糖別食餌療法及び運動療法データを格納する血糖管理療法データベースをさらに含むことを特徴とする請求項８に記載のコンピュータで実行する日程管理装置。
【請求項１０】
前記血糖管理処理部は、
前記移動通信端末から伝送された血糖データに基づいて前記血糖管理療法データベースを参照して該当する食餌療法及び運動療法データを回信することを特徴とする請求項９に記載のコンピュータで実行する日程管理装置。
【請求項１１】
知能的な日程管理機能を提供する移動通信端末において、
キーパッド；表示部；及びアンテナを通じて音声及びデータを送受信処理する無線通信部と;
日程管理データを格納するメモリと;
日程管理サーバーから前記無線通信部を通じて受信した日程管理データを前記メモリに格納処理し、日程管理データに含まれた日程時刻を参照してアラームを設定する日程アラーム設定部と;
前記日程アラーム設定部によりアラームを設定した日程時刻またはアラームを設定した日程時刻の所定時間前に、前記メモリに格納された日程管理データに含まれた当該日程内容をアラームする日程アラーム部;
着脱自在に結合し、血糖値を測定するための血糖測定パックと;
前記血糖測定パックで測定した血糖値を計測し、計測した血糖データを日程管理サーバーに伝送する血糖データ計測部;を含み、
前記メモリに格納された日程管理データは、前記血糖データ計測部で計測して前記日程管理サーバーに伝送した血糖データに基づいて回信された、投与する薬剤及び投薬時刻を含んだ糖尿患者用日程管理データであることを特徴とする知能的な日程管理機能を提供する移動通信端末。
【請求項１２】
前記移動通信端末は、
血糖値を測定するための血糖測定部と;
前記血糖測定部で測定した血糖値を計測し、計測した血糖データを日程管理サーバーに伝送する血糖データ計測部と;をさらに含み、
前記メモリに格納された日程管理データは、前記血糖データ計測部で計測して前記日程管理サーバーに伝送した血糖データに基づいて回信された、投与する薬剤及び投薬時刻を含んだ糖尿患者用日程管理データであることを特徴とする請求項１１に記載の知能的な日程管理機能を提供する移動通信端末。
【請求項１３】
前記日程アラーム部は、キーデータ入力を通じた使用者認識がある時まで繰り返してアラームすることを特徴とする請求項１１に記載の知能的な日程管理機能を提供する移動通信端末。
【請求項１４】
前記日程アラーム設定部は、前記日程管理サーバーから前記無線通信部を通じて受信する変更、追加される日程管理データに基づいて前記メモリの当該日程管理データを修正して格納処理し、アラーム設定を修正することを特徴とする請求項１１または１３に記載の知能的な日程管理機能を提供する移動通信端末。
【発明の詳細な説明】
【技術分野】
【０００１】
本発明は移動通信端末に関連した技術に関するもので、より詳細には、移動通信端末の使用者の日程管理のための技術に関するものである。
【背景技術】
【０００２】
通常、移動通信端末（例えば、携帯電話、携帯情報端末（ＰＤＡ）等）に備わる日程管理プログラムは、使用者本人が操作して使用することを仮定して製作する。すなわち、使用者は日程管理プログラムを通じて自分のスケジュール情報と、当該スケジュールに対する特定日時／時刻情報をアラームに設定する。
【０００３】
日程管理プログラムは、現在の日時／時刻が日程管理プログラムによりアラームを設定した特定日時／時刻に到達すると、当該スケジュール情報を使用者にアラームする。好ましくは、使用者は当該スケジュール情報に対するアラーム設定を特定日時／時刻の定刻、３０分前、１時間前などのように行うことができる。
【０００４】
また、日程管理プログラムが当該スケジュール情報を使用者にアラームする方式としては、端末表示画面に当該スケジュール情報を表示したり、これと共にベル、メロディ、振動及び音声メッセージを送出したりするなど、いろいろな方法がある。
【０００５】
しかし、前述した日程管理プログラムを備えた移動通信端末所有者が子供や患者などのように、保護者による日程管理が必要である場合、保護者がいちいち被保護者の移動通信端末に備えられた日程管理プログラムを通じて被保護者の日程を管理することは難しい。また、使用者が小型の移動通信端末上に備えられた少数のキーを有するキーパッドを通じていちいちスケジュールを入力することは非常に不便である。
【０００６】
このような問題点を解決するための方案として、従来「通信網を通じた個人の日程管理装置及び管理方法」に関する技術が公知されている。この技術によれば、保護者は好ましくＰＣを通じて日程管理サーバーに接続して被保護者の日程管理内容及び時刻などを入力する。日程管理サーバーは当該時刻またはその時刻の所定時間前に被保護者の移動通信端末に好ましくは、短文メッセージサービス（ＳＭＳ）を通じて日程管理内容及びその時刻を伝送する。被保護者はＳＭＳを通じて受信した日程管理メッセージを確認し、それによって行動を取ることができる。
【０００７】
前述したように、保護者はＰＣを通じて被保護者の日程を容易に管理できるようになり、キーパッドを利用するので、日程管理のためのスケジュール入力も便利に行うことができる。
【０００８】
しかし、前述の移動通信端末は単純にＳＭＳを通じて受信した日程管理メッセージを使用者に通知するものであるため、日程管理に対して知能的でないという問題点がある。特に、ＳＭＳがマナーモードで設定した場合は、日程管理通知をのがす恐れもある。
【０００９】
一方、糖尿患者の場合は専門医の持続的な日程管理（薬剤の投薬及びその投薬時間など）を必要とする。このような糖尿患者は持続的に病院を訪問して専門医の持続的な管理を受けなければならない。しかし、糖尿患者が忙しい日常の中で持続的に病院を訪問することは難しい。したがって、本出願人は糖尿患者がより便利に専門医から糖尿病に対する適切な日程管理の提供を受けることができるようにする方案を模索するようになった。
【発明の開示】
【発明が解決しようとする課題】
【００１０】
したがって、このような問題点を解決するためになされた本発明は、知能的な日程管理機能を提供する移動通信端末及びそのシステムを提供することにその目的がある。
【００１１】
本発明の他の目的は、糖尿患者が直接病院を訪問する必要なく糖尿病に対する適切な日程管理の提供を受けることができる移動通信端末及びそのシステムを提供するところにある。
【課題を解決するための手段】
【００１２】
前記目的を達成するための本発明の一態様に係る日程管理システムは、使用者が好ましくＰＣを通じてホスト（本発明においては「日程管理サーバー」という）上に日程管理データを入力し、日程管理サーバーは入力された日程管理データを当該移動通信端末に伝送する。移動通信端末は日程管理プログラムの駆動を通じて受信した日程管理データから日程時刻を参照して当該時刻に合わせてアラームを設定し、その時刻に日程管理内容を使用者にアラームする。
【００１３】
このような本発明の態様によって、移動通信端末の使用者はＰＣを通じて日程管理を簡易に入力することができる。また、移動通信端末は受信した日程管理データを知能的にアラームを設定して当該時刻に使用者にアラームして当該日程を通知することができるので、もし通信が断絶しても予め受信した日程管理データにより当該時刻に対する日程管理サービスが可能である。
【００１４】
本発明の追加的な態様によって、日程管理データを入力する人は本人でない第三者または専門家であることを特徴とする。
【００１５】
このような本発明の態様によって、日程管理を必要とする人が子供や患者などのように、保護を必要とする人である場合、第三者または専門医が代わりに日程管理を処理できる。
【００１６】
本発明の追加的な態様によって、日程管理サーバーは会員のバイオデータを格納するバイオデータベースをさらに含む。
【００１７】
このような本発明の態様によって、医療専門医はバイオデータベースに格納された各会員、すなわち自分が担当する各患者のバイオデータを通じて適切な日程管理を提供できる。
【００１８】
本発明の追加的な態様によって、前述したバイオデータは血糖データであることを特徴とする。
【００１９】
このような本発明の態様によって、医療専門医は糖尿患者の血糖値に基づいて投与する薬及びその薬量、そして投薬時間などの日程管理を提供できる。
【００２０】
本発明の追加的な態様によって、移動通信端末は血糖測定機能を備えると共に、前述したバイオデータは日程管理サーバーが移動通信端末から受信した血糖データであることを特徴とする。
【００２１】
このような本発明の態様によって、移動通信端末の使用者はいつでも、どこにいても自分の血糖を容易に測定し、これによって糖尿管理を日程管理サーバーを通じて医療専門医から提供を受けることができるので、毎度病院を訪問して血糖測定及びこれに伴う処方を受ける必要がない。
【００２２】
本発明の追加的な態様によって、日程管理サーバーは血糖別食餌療法及び運動療法データを格納する血糖管理療法データベースをさらに含む。
【００２３】
このような本発明の態様によって、糖尿患者は測定した自分の血糖値に基づく適切な食餌療法及び運動療法の情報を日程管理サーバーに接続して獲得ことができる。
【００２４】
本発明の追加的な態様によって、日程管理サーバーは糖尿患者の移動通信端末から受信した血糖値に基づいて血糖管理療法データベースを参照して適切な食餌療法及び運動療法の情報を回信する。
【００２５】
このような本発明の態様によって、糖尿患者はいつでも、どこにいても自分の血糖値を測定し、これによって適切な食餌療法及び運動療法の情報を簡易に獲得できる。
【発明の効果】
【００２６】
前述したように、本発明によって移動通信端末の使用者はＰＣを通じて日程管理データを便利に入力できる。また、移動通信端末は受信した日程管理データを知能的にアラームを設定し、当該時刻に使用者にアラームして当該日程を通知することができる。したがって、もし通信が断絶しても予め受信した日程管理データに基づいて当該時刻に合せて日程管理サービスが可能である。
【００２７】
また、日程管理を必要とする人が子供や患者などのように、保護を必要とする人である場合、第三者または専門医が代わりに日程管理を処理できる。
【００２８】
また、移動通信端末の使用者は測定した使用者のバイオデータに基づいて医療専門医から適切な日程管理の提供を受けることができる。
【００２９】
また、移動通信端末の使用者は自分が糖尿患者の場合、自分の血糖値に基づいて投与する薬及びその薬量、そして投薬時間などの日程管理を医療専門医から提供を受けることができる。
【００３０】
また、移動通信端末の使用者はいつでも、どこにいても自分の血糖を容易に測定し、これによって糖尿管理を日程管理サーバーを通じて医療専門医から提供を受けることができるので、毎度病院を訪問して血糖測定及びこれによって処方を受ける必要がない。
【００３１】
また、本発明は血糖値に基づいて適切な食餌療法及び運動療法の情報を糖尿患者に提供する。
【００３２】
また、本発明は移動通信端末の使用者がいつでも、どこにいても自分の血糖値を測定し、これによって適切な食餌療法及び運動療法の情報を簡易に獲得できるようになる。
【発明を実施するための最良の形態】
【００３３】
前述した、そして追加的な本発明の態様は、添付した図面を参照して説明する好ましい実施形態を通じてより一層明白になるだろう。以下ではこのような実施形態を通じて当業者が本発明を容易に理解して再現できるように詳細に説明する。
【００３４】
図１は本発明の好ましい一実施形態に係る日程管理システムの概略的なネットワーク構成図である。図１を参照して日程管理システムの処理動作を概略的に説明する。移動通信端末２００は日程管理サーバー１００から移動通信社サーバー及び基地局を通じて伝送される日程管理データ（好ましくは、日程内容及びその日程時刻を含む）を受信し、そのデータに含まれた日程時刻によってアラームを設定する。移動通信端末２００は設定したアラーム時刻に合わせて日程内容を使用者にアラームする。
【００３５】
日程管理サーバー１００は日程管理を代行サービスするサーバーで、ログイン接続した会員が入力する日程管理データを移動通信社サーバー及び基地局を通じて該当する移動通信端末２００に伝送する。日程管理サーバー１００のサービスを利用する会員は自分の日程管理を入力して自分の移動通信端末に日程管理データを伝送することができる。または保護者の場合は、被保護者の日程管理を入力して被保護者の移動通信端末２００に日程管理データを伝送することもできる。
【００３６】
参考に、会員が日程管理サーバー１００に接続して日程管理データを入力するための方法は、好ましくＰＣを通じてウェブ接続したり、または移動通信端末を通じて無線接続したりして入力する方法などがありえる。
【００３７】
図２は本発明の好ましい一実施形態に係る日程管理システムの構成を概略的に示したブロック図である。以下、図２を参照して本発明の多様な態様を詳細に説明する。図２に示したように、日程管理システムは日程管理サーバー１００と移動通信端末２００とを含む。
【００３８】
日程管理サーバー１００（他の表現で「コンピュータで実行する日程管理装置」と称することができる）１００は、基本的に日程管理サービスを利用するために加入する会員の情報を格納する会員情報データベース１１０と、日程管理データを格納する日程管理データベース１２０と、ログイン接続後、入力する日程管理データを日程管理データベース１２０に格納処理し、日程管理データを当該移動通信端末２００に伝送する日程管理処理部１３０を含む。
【００３９】
日程管理データベース１２０は日程管理サーバー１００で提供するサービスを利用しようとする会員が接続して入力する日程管理データを、好ましくは各会員別に、またはその日程管理データを受信する移動通信端末別に区分して格納する。
【００４０】
日程管理処理部１３０はログイン接続後、入力する日程管理データを、好ましくは格納形式に合わせて圧縮変換して日程管理データベース１２０に格納処理する。また日程管理処理部１３０は会員がログイン接続して入力する日程管理データまたは日程管理データベース１２０に格納された日程管理データを伝送形式に合わせて変換し、通信モジュール１８０を通じて該当する移動通信端末２００に伝送する。
【００４１】
日程管理処理部１３０は日程管理データが入力されると、直ぐに移動通信端末２００に伝送方式に合わせて変換して伝送することができ、または日程管理データに含まれた日程時刻を周期的にチェックし、その所定時間前に伝送することができる。または、日程管理データを入力する会員が設定した伝送時間によって伝送することもできる。伝送する日程管理データは、一つでなく複数になり得て、伝送方式はＳＭＳ、マルチメディアメッセージングサービス（ＭＭＳ）など、多様な方式のうち、いずれかひとつになり得る。
【００４２】
次に、移動通信端末２００に対して説明する。図に示したように、まずキーパッド２１０と、例えば液晶表示装置の表示部２２０は公知された構成のうち、いずれかひとつになり得る。また無線通信部２３０は基地局との通信のためのアンテナ及び無線周波数（ＲＦ）回路を含んで構成される。本明細書において、無線通信部２３０は多様なバージョンの符号分割多重アクセス（ＣＤＭＡ）方式だけでなく、セルルーラ、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）、Ｗ−ＣＤＭＡ（Ｗｉｄｅｂａｎｄ−ＣＤＭＡ）方式などのように現存に用いる方式はもちろん、今後登場する移動通信方式を全部含むように解析しなければならない。
【００４３】
音声処理部２４０はディジタル音声データをアナログ音声信号に、またはその逆に変換処理を行うもので、オーディオ増幅回路やフィルターのような付加回路を含む公知の構成を有する。
【００４４】
一方、メモリ２５０は移動通信端末の動作を制御するための制御プログラムデータが格納されるＲＯＭ（Ｒｅａｄ  Ｏｎｌｙ  Ｍｅｍｏｒｙ）領域と、端末制御動作時発生するデータが一時格納されるＲＡＭ（Ｒａｎｄｏｍ  Ａｃｃｅｓｓ  Ｍｅｍｏｒｙ）領域、そして外装型格納装置領域に区分されている。このようなメモリ２５０は、本発明の好ましい一態様によって日程管理サーバー１００から受信した日程管理データを格納し、さらに本発明に係る日程管理プログラムが格納される。
【００４５】
好ましくは、日程管理プログラムは日程管理サーバー１００から提供するもので、移動通信端末２００は移動通信網を通じて日程管理サーバー１００に接続して無線でダウンロードできる。または、シリアル通信ポートを通じてＰＣ３００に連結され、ＰＣ３００を通じてダウンロードすることができる。または、移動通信端末の製造時、メーカー側から提供することができる。
【００４６】
このような日程管理プログラムは、ＧＶＭ（Ｇｅｎｅｒａｌ  Ｖｉｒｔｕａｌ  Ｍａｃｈｉｎｅ）で実行することができる。ＧＶＭで実行する応用プログラムは、移動通信端末２００がＷＡＰ（Ｗｉｒｅｌｅｓｓ  Ａｃｃｅｓｓ  Ｐｒｏｔｏｃｏｌ）を通じてサーバーに接続する時、無線ネットワークを通じてダウンロードされ、移動通信端末２００のバーチャルマシンで実行するスクリプトの一種である。この応用プログラムは移動通信端末２００が自主的に有しているＬＣＤ、オーディオ再生、振動モーター、キーパッド、シリアル通信ポートなどのディバイスを制御するように支援する。しかし、本発明に係る日程管理プログラムはＧＶＭ環境に限定されず、既存、または今後実現する移動通信端末環境にも適用可能である。
【００４７】
制御部２６０は基本的にメモリ２５０に格納される制御プログラムデータに基づいて移動通信端末２００の動作を全体的に制御する。好ましい一態様によって、制御部２６０は日程アラーム設定部２６１と、日程アラーム部２６３を含む。前述した日程管理プログラムに基づいた日程アラーム設定部２６１は無線通信部２３０を通じて受信する少なくとも一つ以上の日程管理データをメモリ２５０に格納処理する。
【００４８】
一実施形態においては、日程管理データがＳＭＳ方式を通じて受信する場合、日程アラーム設定部２６１はＳＭＳ方式に連係して受信した日程管理データを、日程管理プログラムによってアラーム方式に合わせて新しく構成して格納処理することができる。これはＳＭＳを通じて日程管理データを受信する周期的に処理することができ、またはまず受信して格納されたＳＭＳ日程管理データを周期的にチェックして日程管理プログラムによって処理することもできる。そして、日程アラーム設定部２６１は日程管理データに含まれた日程時刻を参照してアラームを設定する。
【００４９】
日程アラーム部２６３は日程アラーム設定部２６１によりアラームを設定した時刻が現在時刻に到達すると、メモリ２５０に格納された日程管理データに含まれた日程内容を使用者にアラームする。アラーム方式は表示部２２０上に当該日程内容を表示したり、これと共に多様なベル、メロディ、振動及び音声メッセージ送出などを通じて行うことができる。
【００５０】
これによって、移動通信端末の使用者はＰＣを通じて日程管理を入力することができるので、入力が簡易である。また移動通信端末は受信した日程管理データを知能的にアラームを設定して当該時刻に使用者にアラームし、当該日程を通知することができるので、もし通信が断絶しても予め受信した日程管理データにより当該時刻に対する日程管理サービスが可能である。
【００５１】
好ましい一態様によって、日程アラーム部２６３は使用者がアラームを確認するためにキーパッド２１０操作を通してキーデータの入力を行う時まで、繰り返してアラームすることができる。
【００５２】
好ましい一態様によって、日程アラーム設定部２６１は日程管理サーバー１００から無線通信部２３０を通じて受信する変更、追加される日程管理データに基づいてメモリ２５０に格納された当該日程管理データを修正して格納処理し、日程設定を修正する。すなわち、会員が日程管理サーバー１００にログイン接続して、自分が管理する移動通信端末２００に日程情報を伝送するために入力した日程管理データを追加／変更する場合に、日程管理処理部１２０は追加／変更した日程管理データを該当する移動通信端末２００に伝送する。これによって、移動通信端末２００の日程アラーム設定部２６１は、日程管理データを追加／変更してメモリ２５０に格納処理し、アラーム設定を修正するようになる。
【００５３】
本発明の追加的な態様によって、日程管理サーバー１００にログイン接続して日程管理データを入力する人は本人でない第三者または専門家であることを特徴とする。例えば、日程管理を必要とする人が保護者の保護を必要とする子供や医療専門医の管理を必要とする患者の場合、本発明に係る日程管理システムは第三者または専門家からの日程管理が可能なようにする。
【００５４】
本発明の追加的な態様によって、日程管理サーバー１００は医療専門医に提供する会員のバイオデータを格納するバイオデータベース１４０をさらに含む。医療専門医は日程管理サーバー１００にログイン接続して自分が担当する会員のバイオデータをバイオデータベース１４０を通じてチェックする。医療専門医はチェックした各会員のバイオデータに基づいて適切な日程管理データを入力する。すなわち、医療専門医はバイオデータを通じて会員のコンディションをチェックすることによって、会員の日程を適切に管理するようになる。
【００５５】
本発明の追加的な態様によって、前述したバイオデータは血糖データであることを特徴とする。これによって、医療専門医は自分が担当する会員の血糖データをチェックし、これに基づいて日程管理データを入力する。好ましくは、医療専門医はバイオデータベース１４０に格納された血糖データに基づいて薬剤データベース１５０を参照して投与する薬剤を選択し、その投与する薬量及び投薬時刻などを入力する。
【００５６】
これによって、医療専門医は糖尿患者に対する日程管理を適切に提供できる。
【００５７】
本発明の追加的な態様によって、日程管理サーバー１００のバイオデータベース１４０に格納された血糖データは移動通信端末２００から受信したものであり、移動通信端末２００は血糖測定パック２８０と、血糖データ計測部２６５をさらに含み、日程管理サーバー１００は血糖管理処理部１６０をさらに含む。
【００５８】
着脱可能な血糖測定パック２８０はパックインターフェース２７０を通じて移動通信端末の本体に結合可能であり、その用語の意味から分かるように使用者の血糖値を測定するものである。参考に、パックインターフェース２７０は標準インターフェースコネクターを含むもので、血糖測定パック２８０で測定した血糖値を後述する血糖データ計測部２６５へのインターフェースを行う役割をする。
【００５９】
使用者はキーパッド２１０操作を通じて血糖測定モードを設定し、血糖測定パック２８０を通じて血糖値を測定する。好ましく、血糖測定パック２８０は血糖測定のためのセンサーとして周知慣用技術に該当するセンサーストリップ（「バイオセンサー」とも呼ばれる）を含む。使用時にはセンサーストリップに電源を供給し、これによってンサーストリップに流れる電流量を検出する。そして、血糖データ計測部２６５は検出した電流量に対応する血糖値を計測し、これを無線通信部２３０を通じて日程管理サーバー１００に伝送する。血糖測定のためのこのような構成は、本出願人が２００４．４．２０付けで出願した韓国特許出願第２００４−２７１６１号に詳細に記載されているので、詳細な説明は省略する。
【００６０】
血糖管理処理部１６０は移動通信端末２００の血糖データ計測部２６５から伝送された血糖データを格納方式に合わせて圧縮変換し、会員別（すなわち、糖尿患者別）に区分してバイオデータベース１４０に格納処理する。
【００６１】
このような本発明の態様によって、移動通信端末の使用者はいつでも、どこにいても自分の血糖を容易に測定し、これによって糖尿管理を日程管理サーバーを通じて医療専門医から提供を受けることができる。したがって、毎度病院を訪問して血糖測定及びこれによる処方を受ける必要がない。また医療専門医の個別管理により合併症などの予防に有利である。
【００６２】
そして、専門医立場ではデータベースを通した体系的な患者管理が可能であり、記録されたデータに基づいてより正確な血糖管理が可能であり、診療時間を短縮することによって、患者管理が容易になる効果がある。また、病院の立場では広報効果を期待することができるようになる。
【００６３】
追加的に移動通信端末の使用者である糖尿患者は、キーパッド２１０操作を通じて日程管理サーバー１００から受信した日程管理データによる履行の可否を通知することによって、日程管理サーバー１００は糖尿患者別に投薬記録を管理できる。したがって、当該医療専門医は投薬記録を参照して当該糖尿患者の糖尿管理が可能である。
【００６４】
図４は図２に示した移動通信端末２００のまた他の実施形態に係る構成を概略的に示したブロック図である。これは別の血糖測定パックが必要なく血糖測定のための構成である血糖測定部２９０を移動通信端末に一体化したもので、より進歩した方式である。このような方式も本出願人が２００４．４．２０付けに出願した韓国特許出願番号第２００４−２７１６１号に詳細に記載されているので、詳細な説明は省略する。
【００６５】
本発明の追加的な態様によって、日程管理サーバー１００は血糖管理療法データベース１７０をさらに含む。血糖管理療法データベース１７０は血糖値に基づいて、それに必要とする食餌療法及び運動療法に対する情報データを格納している。したがって、糖尿患者は日程管理サーバー１００に接続して血糖管理療法データベース１７０を参照して自分の血糖値に基づく食餌療法及び運動療法に対する情報を獲得することができる。
【００６６】
本発明の追加的な態様によって、血糖管理処理部１６０は移動通信端末２００の血糖データ計測部２６５から伝送された血糖データに基づいて血糖管理療法データベース１７０を参照して該当する食餌療法及び運動療法データを当該移動通信端末に伝送することを特徴とする。
【００６７】
これによって、糖尿患者は移動通信端末を用いていつでも、どこにいても血糖値を測定し、これによって適切な食餌療法及び運動療法の情報を含めたメッセージを受信するようになるので、情報獲得が簡易である。
【００６８】
一方、本発明は図面に示した実施形態を参考に説明したが、これは例示のためのものにすぎず、当該技術分野における通常の知識を有するものならば、これから多様な変形及び均等な他の実施形態が可能である点を理解するはずである。したがって、本発明の真の技術的保護範囲は添付した特許請求の範囲によって決まるべきである。
【図面の簡単な説明】
【００６９】
【図１】本発明の好ましい一実施形態に係る日程管理システムの概略的なネットワーク構成図である。
【図２】本発明の好ましい一実施形態に係る日程管理システムの構成を概略的に示したブロック図である。
【図３】図２に示した移動通信端末のまた他の実施形態に係る構成を概略的に示したブロック図である。
【符号の説明】
【００７０】
１００  日程管理サーバー
１１０  会員情報ＤＢ
１３０  日程管理処理部
１６０  血糖管理処理部
２００  移動通信端末
２６０  制御部
【図１】
2008506164.tif 000003
【図２】
2008506164.tif 000004
【図３】
2008506164.tif 000005
【国際調査報告】
2008506164.tif 000006
2008506164.tif 000007